【手続補正書】
【提出日】平成15年4月2日(2003.4.2)
【手続補正１】
【補正対象書類名】明細書
【補正対象項目名】特許請求の範囲
【補正方法】変更
【補正の内容】
【特許請求の範囲】
【請求項１】
第１の通信チャンネルを介して第２のユーザ設備と接続する第１のユーザ設備内でオブジェクトを検索する方法であって、
・  アドレス指示を取得し、
・  トリガ事象が発生したと決定し、
・  前記アドレス指示に関連するオブジェクトの要求を組み立て、前記要求は少なくとも２つのパラメータを含み、第１のパラメータは前記取得したアドレス指示を表し、第２のパラメータは前記決定したトリガ事象を表し、
・  前記オブジェクトの要求を第２の通信チャンネルを介してデータ・オブジェクト・サーバに送り、
・  前記パラメータを考慮して前記データ・オブジェクトまたは前記オブジェクトの指示を前記データ・オブジェクト・サーバから受け、
・  前記受けたオブジェクトまたはオブジェクトの指示を処理する、
ステップを特徴とする、オブジェクトを検索する方法。
【請求項２】
前記第１の通信チャンネルと第２の通信チャンネルは同時の通信チャンネルまたは非同時の通信チャンネルであることを特徴とする、請求項１記載のオブジェクトを検索する方法。
【請求項３】
前記第１の通信チャンネルは回路交換通信チャンネルまたはパケット交換通信チャンネルであり、前記第２の通信チャンネルは回線交換通信チャンネルまたはパケット交換通信チャンネルであることを特徴とする、請求項１から２のどれか記載のオブジェクトを検索する方法。
【請求項４】
前記アドレス指示は前記第１のユーザ設備の電話番号または前記第２のユーザ設備の電話番号であることを特徴とする、請求項１から３のどれか記載のオブジェクトを検索する方法。
【請求項５】
前記要求のパラメータは前記第１のユーザ設備の機能の表現であることを特徴とする、請求項１から４のどれか記載のオブジェクトを検索する方法。
【請求項６】
前記データ・オブジェクトは前記第１のユーザ設備の機能に従って表示されることを特徴とする、請求項５記載のオブジェクトを検索する方法。
【請求項７】
前記要求は送る前に暗号化することを特徴とする、請求項１から６のどれか記載のオブジェクトを検索する方法。
【請求項８】
前記受けたデータ・オブジェクトは暗号化されており、前記処理するステップは前記データ・オブジェクトの解読を含むことを特徴とする、請求項１から７のどれか記載のオブジェクトを検索する方法。
【請求項９】
前記トリガ事象は、
・  発信呼を開始中または開始しようとしている事象、
・  アドレス指定された被呼者が呼に応答する事象、
・  アドレス指定された被呼者が話し中の事象、
・  アドレス指定された被呼者が応答しない事象、
・  アドレス指定された被呼者が呼を拒否する事象、
・  アドレス指定された被呼者が見つからない事象、
・  アドレス指定された移動体電話が通話圏外にいるので、アドレス指定された被呼者が見つからない事象、
・  着信呼が緊急または開始直後の事象、
・  会議電話を開始中または開始しようとしている事象、
・  呼が切断された事象、
・  呼を実施中の事象、
・  加入者が保留中（ｐｕｔ  ｏｎ  ｈｏｌｄ）である事象、
・  公衆陸上移動体網内で新しいセルが選択された事象、
・  加入者の位置が変わった事象、
・  新しい公衆陸上移動体網オペレータが選択された事象、
・  新しい国の登録が行われた事象、
・  ユーザ設備がスイッチ・オフしようとしている事象、
・  ユーザ設備がスイッチ・オンされた事象、
・  ユーザ設備上の所定のボタンが押された事象、
・  ユーザ設備が受けたトーク・スパート（ｔａｌｋ  ｓｐｕｒｔ）に応答して、
・  音声メールが加入者に残された事象、
・  ＳＭＳが加入者に送られた事象
の中の１つであることを特徴とする、請求項１から８のどれか記載のオブジェクトを検索する方法。
【請求項１０】
前記トリガ事象は分析による前記アドレス指示が完了した事象であることを特徴とする、請求項１から８のどれか記載のオブジェクトを検索する方法。
【請求項１１】
前記トリガ事象は所定のボタンによるアドレス指示が完了した事象であることを特徴とする、請求項１から８のどれか記載のオブジェクトを検索する方法。
【請求項１２】
呼を実施中という前記トリガ事象は呼の間に複数のトリガ事象を生成することを特徴とする、請求項９記載のオブジェクトを検索する方法。
【請求項１３】
トリガ事象であると決定する前記ステップは、呼が行われている間に追加のトリガ事象があるかどうかを更に判定して、呼の間に更なるデータ・オブジェクト要求を行うことを可能にすることを特徴とする、請求項１から１２のどれか記載のオブジェクトを検索する方法。
【請求項１４】
前記トリガ事象はユーザ設備上の所定のボタンが押された事象であり、前記アドレス指示は前記第１のユーザ設備のリスト内に含まれる電話番号であり、前記電話番号は、ミスした着信呼、発信呼、着信呼の中の１つの電話番号であることを特徴とする、請求項１から１３のどれか記載のオブジェクトを検索する方法。
【請求項１５】
商業情報は電話番号をダイヤルすることにより売られ、前記複数のトリガ事象は情報の支払いに用いられることを特徴とする、請求項１２記載のオブジェクトを検索する方法。
【請求項１６】
前記少なくとも２つのパラメータは１つまたは複数のパラメータ、すなわち、
・  ＷＡＰ、ＷＭＬ、ＨＤＭＬ、ＨＴＭＬなどの、伝送に用いられる要求されたプロトコルを表すパラメータ、
・  サーバ名または単なる（ｐｌａｉｎ）ＩＰアドレスなどの、データ・オブジェクト・サーバの識別を表すパラメータ、
・  発信呼の設定などの、前記データ・オブジェクト要求をトリガした事象の種類を示すコードを表すパラメータ、
・  少なくとも１つの着信側のユーザ設備に関連する示された被呼番号を表すパラメータ、
・  移動局の発信者番号を表す、発信者識別を表すパラメータ、
・  要求されたデータ・オブジェクトを返すときに前記データ・オブジェクト・サーバが用いる発呼者の網アドレス（例えば、ＩＰアドレス）を表すパラメータ、
・  スクリーン解像度、オーディオなどの、発呼者の表示機能を示す機能コードを表すパラメータ、
・  用いた暗号化方式または解読キーを示すコードを表すパラメータ、
・  移動局が登録されている国を示すコードを表すパラメータ、
・  現在の公衆陸上移動体網オペレータ、または発信者が加入している公衆陸上移動体網、またはその両方を識別するコードを表すパラメータ、
・  移動局の販売者と前記移動局の種類を示すコードを表すパラメータ、
・  設備固有識別を示すコードを表すパラメータ、
・  チェックサムなどの前記パラメータの確認コードを表すパラメータ、
を更に含むことを特徴とする、請求項１から１５のどれか記載のオブジェクトを検索する方法。
【請求項１７】
前記要求の１つまたは複数のパラメータは
・  ホーム・オペレータを示すコードを表すパラメータ、
・  データ・ベアラの種類を示すコードを表すパラメータ、
・  前記販売者を示すコードを表すパラメータ、
・  前記ユーザ設備の種類を示すコードを表すパラメータ、
・  ハンズフリー・セット、チャットボード、ｍｐ３プレーヤ、ラジオ、バーコード読取り機、ＰＤＡ、および／または任意のブルートゥース設備などの、利用可能なおよび／または添付の付属品を示すコードを表すパラメータ、
・  付属品、例えばヘッドセットまたは自動車のハンズフリー・セットなどのハンズフリー付属品、が活動状態かどうかを示すコードを表すパラメータ、
・  前記方法のバージョンを示すコードを表すパラメータ、
・  前記第１のユーザ設備内に含まれるソフトウエアのバージョンを示すコードを表すパラメータ、
であることを特徴とする、請求項１から１６のどれか記載のオブジェクトを検索する方法。
【請求項１８】
前記第１のユーザ設備が呼を行っていないときまたは呼が終了したとき、次のトリガ事象が起こったときに直ぐに利用できるように、データ・オブジェクトを前記データ・オブジェクト・サーバから取得して前記第１のユーザ設備内に局所的に記憶することを特徴とする、請求項１から１７のどれか記載のオブジェクトを検索する方法。
【請求項１９】
前記アドレス指示は登録された新しい国の表現であり、前記要求されるデータ・オブジェクトは前記新しい国に関係することを特徴とする、請求項１から１８のどれか記載のオブジェクトを検索する方法。
【請求項２０】
商業情報は電話番号をダイヤルすることにより売られ、前記トリガ事象は、呼が前記第１の通信チャンネルにより接続されたときまたは呼が切断されたときなどの、支払い完了であることを特徴とする、請求項１から１９のどれか記載のオブジェクトを検索する方法。
【請求項２１】
前記データ・オブジェクトは商業情報または商業情報の表現であることを特徴とする、請求項２０記載のオブジェクトを検索する方法。
【請求項２２】
前記データ・オブジェクト・サーバの汎用資源ロケータを前記第１のユーザ設備内に予めプログラムしておくことを特徴とする、請求項１から２１のどれか記載のオブジェクトを検索する方法。
【請求項２３】
前記データ・オブジェクト・サーバは名前サーバとオブジェクト・サーバに少なくとも論理的に分割され、また前記オブジェクトの要求を第２の通信チャンネルを介して送る前記ステップは前記名前サーバに送ることであることを特徴とする、請求項１から２２のどれか記載のオブジェクトを検索する方法。
【請求項２４】
前記オブジェクトの指示を前記データ・オブジェクト・サーバから受けるステップは、
・  前記オブジェクトの指示を前記名前サーバから受ける、
ステップを含み、
また前記オブジェクトの指示を処理するステップは、
・  前記受けたオブジェクトの指示によりオブジェクトの要求を前記オブジェクト・サーバに送り、
・  前記パラメータを考慮して前記データ・オブジェクトを前記オブジェクト・サーバから受け、
・  前記受けたオブジェクトを処理する、
ステップを含むことを特徴とする、請求項２３記載のオブジェクトを検索する方法。
【請求項２５】
前記データ・オブジェクトをオブジェクト・サーバから受けるステップは、
・  前記名前サーバは前記オブジェクトの要求を前記オブジェクト・サーバに送付し、
・  前記パラメータを考慮して前記データ・オブジェクトを前記オブジェクト・サーバから受ける、
ステップを更に含むことを特徴とする、請求項２３記載のオブジェクトを検索する方法。
【請求項２６】
前記名前サーバの汎用資源ロケータは前記第１のユーザ設備内に予めプログラムしておくことを特徴とする、請求項２３から２５のどれか記載のオブジェクトを検索する方法。
【請求項２７】
前記受けたオブジェクトまたは前記オブジェクトの指示は要求者の識別に従ってデータ・オブジェクトから選択されることを特徴とする、請求項１から２６のどれか記載のオブジェクトを検索する方法。
【請求項２８】
前記受けたオブジェクトは、少なくとも一時的に前記第１のユーザ設備の呼出し音の代わりに用いられる音を含むことを特徴とする、請求項１から２７のどれか記載のオブジェクトを検索する方法。
【請求項２９】
前記受けたオブジェクトは音を含み、また前記第１のユーザ設備の呼出し音は少なくとも一時的に無音であり、前記音は呼出し音の代わりに表現されることを特徴とする、請求項１から２７のどれか記載のオブジェクトを検索する方法。
【請求項３０】
前記受けたオブジェクトは前記受信ユーザ設備またはＳＩＭカード内のホーンブックを更新するための情報と機能性を含むことを特徴とする、請求項１から２９のどれか記載のオブジェクトを検索する方法。
【請求項３１】
図形機能を含む固定電話であって、前記電話は請求項１から３０のどれか記載の方法を実行することを特徴とする固定電話。
【請求項３２】
中央処理ユニットと、メモリ・ユニットと、少なくとも１個のディスプレイとで構成する移動体電話であって、前記移動体電話は請求項１から３０のどれか記載の方法を実行することを特徴とする移動体電話。
【請求項３３】
移動体電話機能を有しまたは移動体電話に接続する、パーソナル・ディジタル支援装置またはラップトップ・コンピュータなどの、中央処理ユニットと、メモリ・ユニットと、少なくとも１個のディスプレイとで構成するデータ設備であって、前記データ設備は請求項１から３０のどれか記載の方法を実行することを特徴とするデータ設備。
【請求項３４】
中央処理ユニットと、メモリ・ユニットと、ＳＩＭカードなどの脱着可能なメモリ・ユニットと、少なくとも１個のディスプレイとで構成する移動体電話であって、前記移動体電話は請求項１から３０のどれか記載の方法を前記脱着可能なメモリ・ユニットから実行することを特徴とする移動体電話。
【請求項３５】
中央処理ユニットと、メモリ・ユニットと、少なくとも１個のディスプレイとで構成する移動体電話であって、前記移動体電話は請求項１から３０どれか記載の方法を前記メモリ・ユニットにダウンロードしたことを特徴とする移動体電話。
【請求項３６】
第１のユーザ設備と、第２のユーザ設備と、前記第１のユーザ設備と前記第２のユーザ設備の間に第１の通信チャンネルを確立する通信網と、データ・オブジェクト・サーバとで構成する電気通信システムであって、前記第１のユーザ設備はアドレス指示を取得し、トリガ事象が発生したと決定し、前記アドレス指示に関連するオブジェクトの要求を組み立て、前記要求は少なくとも２つのパラメータを含み、第１のパラメータは取得したアドレス指示を表し、第２のパラメータは決定したトリガ事象を表し、更にオブジェクトの要求を第２の通信チャンネルを介して前記データ・オブジェクト・サーバに送り、前記データ・オブジェクト・サーバは前記要求に応じて、前記パラメータを考慮して前記データ・オブジェクトまたは前記データ・オブジェクトの指示を前記第２の通信チャンネルを介して前記第１のユーザ設備に返し、前記第１のユーザ設備は前記データ・オブジェクトまたは前記データ・オブジェクトの指示を前記データ・オブジェクト・サーバから受けて、前記受けたデータ・オブジェクトまたは前記データ・オブジェクトの指示を処理することを特徴とする、電気通信システム。
【請求項３７】
前記要求のパラメータは前記第１のユーザ設備の機能であることを特徴とする、請求項３６記載の電気通信システム。
【請求項３８】
前記データ・オブジェクトは前記第１のユーザ設備の機能に従って表示されることを特徴とする、請求項３７記載の電気通信システム。
【請求項３９】
前記トリガ事象は、
・  発信呼を開始中または開始しようとしている事象、
・  アドレス指定された被呼者が呼に応答する事象、
・  アドレス指定された被呼者が話し中の事象、
・  アドレス指定された被呼者が応答しない事象、
・  アドレス指定された被呼者が呼を拒否する事象、
・  アドレス指定された移動体電話が通信圏外にいるので、アドレス指定された被呼者が見つからない事象、
・  着信呼が緊急または開始直後の事象、
・  会議電話を開始中または開始しようとしている事象、
・  呼が切断された事象、
・  呼を実施中の事象、
・  加入者が保留中である事象、
・  公衆陸上移動体網内で新しいセルが選択された事象、
・  加入者の位置が変わった事象、
・  新しい公衆陸上移動体網オペレータが選択された事象、
・  新しい国の登録が行われた事象、
・  ユーザ設備がスイッチ・オフしようとしている事象、
・  ユーザ設備がスイッチ・オンされた事象、
・  ユーザ設備上の所定のボタンが押された事象、
・  ユーザ設備が受けたトーク・スパートに応答して、
・  音声メールが加入者に残された事象、
・  ＳＭＳが加入者に送られた事象
の中の１つであることを特徴とする、請求項３６から３８のどれか記載の電気通信システム。
【請求項４０】
前記トリガ事象は所定のボタンによるアドレス指示が完了した事象であることを特徴とする、請求項３６から３９のどれか記載の電気通信システム。
【請求項４１】
前記少なくとも２つのパラメータは１つまたは複数のパラメータ、すなわち、
・  ＷＡＰ、ＷＭＬ、ＨＤＭＬ、ＨＴＭＬなどの、伝送に用いられる要求されたプロトコルを表すパラメータ、
・  サーバ名または単なる（ｐｌａｉｎ）ＩＰアドレスなどの、データ・オブジェクト・サーバの識別を表すパラメータ、
・  発信呼の設定などの、前記データ・オブジェクト要求をトリガした事象の種類を示すコードを表すパラメータ、
・  少なくとも１つの着信側のユーザ設備に関連する示された被呼番号を表すパラメータ、
・  移動局の発信者番号を表す、発信者識別を表すパラメータ、
・  要求されたデータ・オブジェクトを返すときに前記データ・オブジェクト・サーバが用いる発呼者の網アドレス（例えば、ＩＰアドレス）を表すパラメータ、
・  スクリーン解像度、オーディオなどの、発呼者の表示機能を示す機能コードを表すパラメータ、
・  用いた暗号化方式または解読キーを示すコードを表すパラメータ、
・  移動局が登録されている国を示すコードを表すパラメータ、
・  現在の公衆陸上移動体網オペレータ、または発信者が加入している公衆陸上移動体網、またはその両方を識別するコードを表すパラメータ、
・  移動局の販売者と前記移動局の種類を示すコードを表すパラメータ、
・  設備固有識別を示すコードを表すパラメータ、
・  チェックサムなどの前記パラメータの確認コードを表すパラメータ、
を更に含むことを特徴とする、請求項３６から４０のどれか記載の電気通信システム。
【請求項４２】
前記要求の１つまたは複数のパラメータは
・  ホーム・オペレータを示すコードを表すパラメータ、
・  データ・ベアラの種類を示すコードを表すパラメータ、
・  前記販売者を示すコードを表すパラメータ、
・  前記ユーザ設備の種類を示すコードを表すパラメータ、
・  ハンズフリー・セット、チャットボード、ｍｐ３プレーヤ、ラジオ、バーコード読取り機、ＰＤＡ、および／または任意のブルートゥース設備などの、利用可能なおよび／または添付の付属品を示すコードを表すパラメータ、
・  付属品、例えばヘッドセットまたは自動車のハンズフリー・セットなどのハンズフリー付属品、が活動状態かどうかを示すコードを表すパラメータ、
・  前記方法のバージョンを示すコードを表すパラメータ、
・  前記第１のユーザ設備内に含まれるソフトウエアのバージョンを示すコードを表すパラメータ、
であることを特徴とする、請求項３６から４１のどれか記載の電気通信システム。
【請求項４３】
前記第１のユーザ設備はキャッシュ・メモリを更に含み、前記第１のユーザ設備が呼を行っていないときまたは呼が終了したとき、次のトリガ事象が起こったときに直ぐに利用できるように、データ・オブジェクトを前記データ・オブジェクト・サーバから取得して前記キャッシュ・メモリ内に記憶することを特徴とする、請求項３６から４２のどれか記載の電気通信システム。
【請求項４４】
前記トリガ事象はユーザ設備上の所定のボタンが押された事象であり、前記アドレス指示は前記第１のユーザ設備のリスト内に含まれる電話番号であり、前記電話番号は、ミスした着信呼、発信呼、着信呼の中の１つの電話番号であることを特徴とする、請求項３６から４３のどれか記載の電気通信システム。
【請求項４５】
前記データ・オブジェクト・サーバの汎用資源ロケータを前記第１のユーザ設備内に予めプログラムしておくことを特徴とする、請求項３６から４４のどれか記載の電気通信システム。
【請求項４６】
前記データ・オブジェクト・サーバは名前サーバとオブジェクト・サーバに少なくとも論理的に分割され、また前記オブジェクトの要求を第２の通信チャンネルを介して送る前記ステップは前記名前サーバに送ることであることを特徴とする、請求項３６から４５のどれか記載の電気通信システム。
【請求項４７】
前記オブジェクトの指示を前記データ・オブジェクト・サーバから受けるときは前記第１のユーザ設備は前記オブジェクトの指示を前記名前サーバから受け、また前記オブジェクトの指示を処理するときは、前記受けたオブジェクトの指示により前記オブジェクトの要求を前記オブジェクト・サーバに送り、前記パラメータを考慮して前記データ・オブジェクトを前記オブジェクト・サーバから受け、前記受けたオブジェクトを処理することを特徴とする、請求項４６記載の電気通信システム。  
【請求項４８】
前記名前サーバは前記オブジェクトの要求を前記オブジェクト・サーバに送付し、前記データ・オブジェクトを前記データ・オブジェクト・サーバから受けるときは前記第１のユーザ設備は前記パラメータを考慮して前記データ・オブジェクトを前記オブジェクト・サーバから受ける、ことを特徴とする、請求項４６記載の電気通信システム。  
【請求項４９】
前記受けたオブジェクトは、少なくとも一時的に前記第１のユーザ設備の呼出し音の代わりに用いられる音を含むことを特徴とする、請求項３６から４８のどれか記載の電気通信システム。
【請求項５０】
前記受けたオブジェクトは音を含み、また前記第１のユーザ設備の呼出し音は少なくとも一時的に無音であり、前記音は呼出し音の代わりに表現されることを特徴とする、請求項３６から４８のどれか記載の電気通信システム。
【請求項５１】
前記受けたオブジェクトは前記受信ユーザ設備またはＳＩＭカード内の電話帳を更新するための情報と機能性を含むことを特徴とする、請求項３６から５０のどれか記載の電気通信システム。
【請求項５２】
中央処理ユニットと、メモリ・ユニットと、ＳＩＭカードなどの脱着可能なメモリ・ユニットと、少なくとも１個のディスプレイとで構成する移動体電話であって、前記移動体電話は前記脱着可能なメモリ・ユニット内にプログラムされた請求項３６から５１のどれか記載の当該機能性を含むことを特徴とする移動体電話。
【手続補正２】
【補正対象書類名】明細書
【補正対象項目名】図面の簡単な説明
【補正方法】変更
【補正の内容】
【図面の簡単な説明】
本発明の特徴と利点を明らかにするため、以下の図面を参照して詳細に説明する。
【図１】
本発明の１つの実施の形態に係る通信インフラストラクチャの概観を示す。
【図２】
本発明の１つの実施の形態に係るＡ側のＵＥ内の加入者対話の第１の流れ図を示す。
【図３】
本発明の１つの実施の形態に係るデータ・サーバ内の加入者対話の第１の流れ図を示す。
【図４】
データ通信と音声通信を同時に行うことが可能なときの、本発明の１つの実施の形態に係るＡ側のＵＥ内の加入者対話の第２の流れ図を示す。
【図５】
データ通信と音声通信を同時に行うことが不可能なときの、本発明の別の実施の形態に係るＡ側のＵＥ内の加入者対話の第３の流れ図を示す。
【図６】
本発明の１つの実施の形態に係るＢ側のＵＥ内の加入者対話の流れ図を示す。
【図７】
本発明の１つの実施の形態に係るＵＥの例示のブロック図を示す。
【図８】
本発明の１つの実施の形態に係るデータ網内のデータ・オブジェクト・サーバのブロック図を示す。
【図９】
本発明の１つの実施の形態に係るＢ番号指示手続きの流れ図を示す。
【図１０】
本発明の１つの実施の形態に係るＡ番号指示手続きの流れ図を示す。
【図１１】
本発明の１つの実施の形態に係る、固定網に接続したＵＥの例示のブロック図を示す。
【図１２】
本発明の１つの実施の形態に係る、ＰＤＡと移動体電話から成るＵＥの例示のブロック図を示す。